(57)【要約】【課題】  感光ドラムにトナーを塗布することで結露復帰を行う方法において、トナーの消費を抑えることを目的とする。【解決手段】  画像形成装置において、複数の感光ドラムと、感光ドラムからトナー像が転写される中間転写ベルトと、結露が発生している状態であるか否かを判定する判定手段と、感光ドラムに結露が発生している状態であると判定された場合で、且つ、画像形成の開始指示を受信した場合に、トナーを感光ドラムに塗布し、結露復帰動作を実行する結露復帰手段と、を有し、前記結露復帰手段は、前記結露復帰動作を実行する際に、カラー画像形成モードで画像形成を開始する場合は全色に対応する感光ドラムにトナーを塗布する第１の結露復帰モードを実行し、モノクロ画像形成モードで画像形成を開始する場合は黒色に対応する感光ドラムにのみトナーを塗布する第２の結露復帰モードを実行する。【選択図】  図８
2019101303.tif 000002
【特許請求の範囲】
【請求項１】
トナー像を担持する複数の感光ドラムと、
前記感光ドラムからトナー像が転写される中間転写ベルトと、
前記感光ドラムに結露が発生している状態であるか否かを判定する判定手段と、
前記判定手段により前記感光ドラムに結露が発生している状態であると判定された場合で、且つ、画像形成の開始指示を受信した場合に、トナーを前記感光ドラムに塗布し、該塗布したトナーを回収することにより、結露復帰動作を実行する結露復帰手段と、を有し、
前記結露復帰手段は、前記結露復帰動作を実行する際に、カラー画像形成モードで画像形成を開始する場合は全色に対応する感光ドラムにトナーを塗布する第１の結露復帰モードを実行し、モノクロ画像形成モードで画像形成を開始する場合は黒色に対応する感光ドラムにのみトナーを塗布する第２の結露復帰モードを実行することを特徴とする画像形成装置。
【請求項２】
前記結露復帰手段は、画像形成を開始した後に、画像形成モードをモノクロ画像形成モードからカラー画像形成モードに変更する場合、カラーの感光ドラムにのみトナーを塗布する第３の結露復帰モードを実行することを特徴とする請求項１に記載の画像形成装置。
【請求項３】
画像形成モードがモノクロ画像形成モードである場合には、前記中間転写ベルトをモノクロの感光ドラムのみ当接させ、画像形成モードがカラー画像形成モードである場合には、前記中間転写ベルトをモノクロとカラーの感光ドラムに当接させる当接離間手段を更に有することを特徴とする請求項１又は２に記載の画像形成装置。
【請求項４】
前記第１の結露復帰モードは、トナーを塗布する際に、前記中間転写ベルトを全ての感光ドラムに当接させるモードであり、
前記第２の結露復帰モードは、トナーを塗布する際に、前記中間転写ベルトをカラーの感光ドラムは当接させずに、モノクロの感光ドラムのみ当接させるモードであることを特徴とする請求項３に記載の画像形成装置。
【請求項５】
前記判定手段は、機外環境センサから取得した前記画像形成装置の外部の温度および湿度に基づき、前記感光ドラムに結露が発生している状態であるか否かを判定することを特徴とする請求項１乃至４のいずれか１項に記載の画像形成装置。
【請求項６】
前記判定手段は、前記機外環境センサから取得した前記画像形成装置の外部の温度および湿度に基づき露点温度を算出し、該算出した前記露点温度よりも、機内環境センサから取得した機内温度が低い場合に、前記結露が発生している状態であると判定することを特徴とする請求項５に記載の画像形成装置。
【請求項７】
前記判定手段は、前記機内温度が前記露点温度より高い状態となってから所定時間が経過した場合、前記結露が解消されたと判定することを特徴とする請求項６に記載の画像形成装置。
【請求項８】
前記結露復帰手段は、前記結露が発生している状態から画像形成の開始が指示されるまでの時間に応じて、トナーの塗布量を制御することを特徴とする請求項１乃至７のいずれか１項に記載の画像形成装置。
【請求項９】
外気を取り込むファンを更に有し、
前記判定手段により前記感光ドラムに結露が発生している状態であると判定された場合で、且つ、画像形成の開始指示を受信していない期間中は、トナーを前記感光ドラムに塗布せずに、前記ファンの回転により結露復帰動作を実行することを特徴とする請求項１乃至８のいずれか１項に記載の画像形成装置。
【請求項１０】
ユーザ指示を受け付ける操作部を更に有し、
前記結露復帰手段は、前記操作部から結露復帰の指示が入力された場合は、前記第１の結露復帰モードを実行することを特徴とする請求項１乃至９の何れか１項に記載の画像形成装置。
【発明の詳細な説明】
【技術分野】
【０００１】
本発明は、電子写真方式を用いた画像形成装置に関する。
【背景技術】
【０００２】
画像形成装置は、設置されるオフィスの室温変化などの環境変動により、装置内部に結露が発生する場合がある。結露の発生は、画像形成装置が設置された地域や季節に起因し、また夜間や朝方の冷え込み、会社始業開始後の空調設備による急激な室温変化などの環境変化に起因する。画像形成装置においては、このような急激な温度変化による結露を防ぐことが求められている。
【０００３】
発生した結露を解消させる方法として、特許文献１が知られている。特許文献１の方法は、結露が発生していると判定すると、トナーを感光ドラム上に供給し（以下、「トナー塗布」と記述する）、該トナーによりドラムに付着した水滴を除去し感光ドラム上の結露を解消する、という方法である。
【先行技術文献】
【特許文献】
【０００４】
【特許文献１】特開２０１４−８１４６６号公報
【発明の概要】
【発明が解決しようとする課題】
【０００５】
特許文献１は、結露が発生していると判定した場合に、トナー塗布を行うことで結露復帰を行うが、４色分の感光ドラムにトナー塗布を行うと、トナーが多く消費されるという課題がある。
【０００６】
本発明は、上記課題に鑑み、トナーの消費を抑えることを目的とする。
【課題を解決するための手段】
【０００７】
上記目的を達成するため、本発明の画像形成装置は、トナー像を担持する複数の感光ドラムと、前記感光ドラムからトナー像が転写される中間転写ベルトと、前記画像形成装置の外部の温湿度情報に基づき、前記感光ドラムに結露が発生している状態であるか否かを判定する判定手段と、前記判定手段により前記感光ドラムに結露が発生している状態であると判定された場合で、且つ、画像形成の開始指示を受信した場合に、トナーを前記感光ドラムに塗布し、該塗布したトナーを回収することにより、結露復帰動作を実行する結露復帰手段と、を有し、前記結露復帰手段は、前記結露復帰動作を実行する際に、カラー画像形成モードで画像形成を開始する場合は全色に対応する感光ドラムにトナーを塗布する第１の結露復帰モードを実行し、モノクロ画像形成モードで画像形成を開始する場合は黒色に対応する感光ドラムにのみトナーを塗布する第２の結露復帰モードを実行することを特徴とする。
【発明の効果】
【０００８】
本発明によれば、トナー消費を抑えることができる。
【図面の簡単な説明】
【０００９】
【図１】画像形成装置の断面図
【図２】画像形成装置の制御ブロック図
【図３】画像形成装置の操作部の説明図
【図４】結露発生条件についての説明図
【図５】ファン回転時の外部温度と機内温度の温度差についての説明図
【図６】トナー塗布説明図
【図７】トナー塗布モード説明図
【図８】結露復帰制御フローチャート
【図９】機内温度による結露復帰判定フローチャート
【図１０】マニュアル結露復帰モード画面
【発明を実施するための形態】
【００１０】
以下、図面を参照して本発明の実施形態を説明する。なお以下の実施形態は、特許請求の範囲に係る本発明を限定するものでなく、また本実施形態で説明されている特徴の組み合わせの全てが本発明の解決手段に必須のものとは限らない。
【００１１】
＜画像形成装置の断面図＞
図１は画像形成装置の断面図である。画像形成装置１００は、一定の間隔をおいて略水平な一直線上に配置された複数のプロセスユニット１０１ｙ、１０１ｍ、１０１ｃ、１０１ｋを備えている。プロセスユニット１０１ｙ、１０１ｍ、１０１ｃ、１０１ｋは、それぞれイエロー（ｙ）、マゼンタ（ｍ）、シアン（ｃ）、ブラック（ｋ）の現像剤のトナー像を形成する。プロセスユニット１０１ｙ、１０１ｍ、１０１ｃ、１０１ｋで形成されたトナー像は、当接した中間転写ベルト１０８に一次転写される。そして中間転写ベルト１０８上で重ね合わされた各色のトナー像は、搬送され、駆動ローラ１２２と二次転写ローラ１１０が当接するニップ上において、後述するレジストローラ１１５によって同期された用紙上に転写される。プロセスユニット１０１ｙ、１０１ｍ、１０１ｃ、１０１ｋは、トナー像を担持する感光ドラム１０２、帯電ローラ１０３、レーザー露光装置１０４、現像器１０５、トナー容器１０６、及び補助帯電ブラシ１０９を備える。図１では、各色に対応して、参照番号の末尾にｙ、ｍ、ｃ、ｋの記号を付す。
【００１２】
さらに、画像形成装置１００は、一次転写ローラ１０７ｙ〜ｋ、中間転写ベルト１０８、二次転写ローラ１１０、転写クリーニング装置１１１を備える。また画像形成装置１００は、給紙カセット１１３、レジストローラ１１５、定着装置１１７、駆動ローラ１２２、レジ前搬送センサ２０１、及び搬送センサ２０２を備える。定着装置１１７は、定着ローラ１１８及び加圧ローラ１１９を備える。各コンポーネントの動作については後述する。
【００１３】
＜制御ブロック図＞
図２は画像形成装置１００の制御ブロック図である。ＣＰＵ回路部２１３は、ＣＰＵ６０４、ＲＯＭ６０１、ＲＡＭ６０２を有し、通信コントローラ２１０を介してホストコンピュータ２１１から画像形成の開始指示を受信する。画像形成の開始指示を受信したＣＰＵ回路部２１３は、ジョブ情報のデータを取得し、ＲＡＭ６０２に記憶する。そして、後述する画像形成動作を実施するため、レーザー露光装置１０４ｙ、１０４ｍ、１０４ｃ、１０４ｋとモータ６０９〜６１２と離間モータ６１３と定着モータ６１４を制御する。モータ６１２は、黒色に対応する感光ドラム１０２ｋと現像器１０５ｋを駆動するモータである。モータ６０９〜６１１は、それぞれ、感光ドラム１０２ｙ、１０２ｍ、１０２ｃと、現像器１０５ｙ、１０５ｍ、１０５ｃとを駆動するモータである。離間モータ６１３は、中間転写ベルト１０８を、プロセスユニット１０１ｙ、１０１ｍ、１０１ｃ、１０１ｋに当接及び離間を制御する当接離間手段である。定着モータ６１４は、定着ローラ１１８と加圧ローラ１１９を駆動するモータである。
【００１４】
中間転写ベルト１０８とプロセスユニット１０１ｙ、１０１ｍ、１０１ｃ、１０１ｋの通常時の当接状態は、本実施形態ではモノクロ画像を優先としており、プロセスユニット１０１ｋのみ当接としている。そのため、電源起動時やスリープ復帰時には、当接状態がユーザ操作やメンテナンス動作などにより変更されている可能性があるため、モノクロ当接位置検知センサ（不図示）により初期化動作を実行し、プロセスユニット１０１ｋのみ当接した状態にする。カラー画像形成時には、プロセスユニット１０１ｙ、１０１ｍ、１０１ｃは、プロセスユニット１０１ｋと同様にカラー当接位置検知センサ（不図示）により全てのプロセスユニット１０１ｙ、１０１ｍ、１０１ｃ、１０１ｋが当接した状態にする。
【００１５】
機外環境センサ２０３は、画像形成装置１００の外部の温湿度情報を取得する検知部である。機内環境センサ２０４は、画像形成装置１００の内部の温湿度情報を取得するセンサである。本実施形態では機内専用の機外環境センサ２０４を備えているが、機外環境センサ２０３の情報から予測値で算出してもよい。ファン２０５は、画像形成装置１００の機外の空気を取り込むことで機内の熱を冷却する冷却手段である。
【００１６】
＜操作部３３０の説明図＞
図３は操作部３３０の説明図である。操作部３３０は、各種ボタンや表示部を備える。電源スイッチ３３７は、電源ユニットへの主電源のＯＮ／ＯＦＦを行うスイッチである。節電ボタン３３６は、画像形成装置を所定の省電力モードへと移行させたり、省電力モード中の画像形成装置を通常モードへ復帰させたりするためのボタンである。電源ＬＥＤ３３９は、主電源がＯＮされている時に緑色に点灯する。ユーザが操作した機能が動作中であるときは緑色に点滅し、また、何らかのエラー等が発生した場合は赤色に点灯し、ユーザに異常を示唆する役割を持つ。ユーザモードボタン３３４は、画像形成装置の設定を予め行うためのボタンである。テンキー３３３は、コピー枚数やＦＡＸ送信先などの数字を入力するためのキーである。リセットキー３３２は、入力した数値をクリアし、現在選択中の各モードの初期状態へと戻るためのキーである。スタートボタン３３５は、オペレーションパネル３４１やテンキー３３３で入力した内容を元に、実際に動作を開始するためのキーである。ストップボタン３３８は、スタートボタン３３５によって開始された動作を途中でキャンセルするためのボタンである。ヘルプキー３３１は、適宜ユーザに対して表示画面の説明文章を表示するためのキーである。
【００１７】
オペレーションパネル３４１は、タッチパネル式のＴＦＴドットマトリクス型の液晶パネルである。複合機の各モードの操作・表示を行うと共に、各モードの切り替えを行う機能を備える。
【００１８】
＜結露発生条件＞
図４は結露発生条件についての説明図である。図４は、機外環境センサ２０３により取得される機外の温湿度と露点温度の関係を示している。
【００１９】
例えば、機外温度が２５℃、機外湿度が６０％の環境では（４２２）、温度が１３℃に低下した時に湿度が１００％となり、結露ゾーン４２３に入るため、露点温度は１３℃である。従って、機外温度が２５℃、機外湿度が６０％のオフィス環境において、画像形成装置の機内に結露が発生する条件は、機内環境センサ２０４により取得される画像形成装置内部の温度が１３℃である場合である。このような温度差は、外部環境温度が急速に上昇し、一方で、画像形成装置内部は冷えた状態にとどまる場合に発生する。
【００２０】
図５は外部環境温度と画像形成装置内部の温度の差分を示す図である。外部環境温度４２６が一時間で５℃から２５℃に上昇した時、画像形成装置内部の温度４２５は緩やかに４時間程度かけて上昇する。画像形成装置と外部環境温度では１３℃程度の温度差が発生する区間４２７がある。この区間４２７のときに、画像形成開始によりファン２０５が回転し外気が画像形成装置内部に流入すると、温かい外気が機内の冷たい空気により冷却されることで結露が発生する。
【００２１】
＜感光ドラムへのトナー塗布による結露復帰＞
図６はトナー塗布による結露復帰動作についての説明図である。図６では、イエロー（ｙ）の感光ドラム１０２ｙを例に説明する。プロセスユニット１０１ｙは、現像器１０５ｙ、感光ドラム１０２ｙに接するクリーニングブレードを有する感光ドラムクリーナ１２０ｙを備える。帯電させた感光ドラム１０２ｙ上にトナーを供給してドラム二周分のトナー帯を生成するトナー塗布を行うことにより、感光ドラム１０２ｙ上の結露水分をトナーと一緒に感光ドラムクリーナ１２０ｙにより回収することで結露を解消することができる。
【００２２】
図７はトナー塗布による結露復帰の動作モードについての説明図である。図中、黒塗りの感光ドラム１０２ｙ、１０２ｍ、１０２ｃ、１０２ｋがトナー塗布対象のドラムを示す。
【００２３】
図７（Ａ）は第１の結露復帰モードの例である。第１の結露復帰モードは、カラー画像形成モードで画像形成を開始する場合に実行される。第１の結露復帰モードは、離間モータ６１３により中間転写ベルト１０８と４色全てのプロセスユニット１０１ｙ〜ｋを当接状態にして、感光ドラム１０２ｙ〜ｋにトナーを塗布することで感光ドラム１０２ｙ〜ｋの結露を除去するモードである。
【００２４】
図７（Ｂ）は、第２の結露復帰モードの例である。第２の結露復帰モードは、モノクロ画像形成モードで画像形成を開始する場合に実行される。第２の結露復帰モードは、離間モータ６１３により、中間転写ベルト１０８とプロセスユニット１０１ｋのみを当接状態にして、感光ドラム１０２ｋにトナーを塗布することで感光ドラム１０２ｋの結露を除去するモードである。
【００２５】
図７（Ｃ）の第３の結露復帰モードの例である。第３の結露復帰モードは、画像形成動作中に画像形成モードをモノクロ画像形成モードからカラー画像形成モードに変更する場合に実行されるモードである。第３の結露復帰モードは、中間転写ベルト１０８と、プロセスユニット１０１ｙ〜ｋを当接状態にして、感光ドラム１０２ｙ、１０２ｍ、１０２ｃにトナー塗布をすることでカラーの感光ドラム１０２ｙ、１０２ｍ、１０２ｃの結露を除去するモードである。第３の結露復帰モードでは、黒色に対応する感光ドラム１０２ｋへのトナー塗布は行わない。
【００２６】
本実施形態において、トナー塗布による結露復帰は、短時間で結露復帰できる一方で、感光ドラムの寿命に対して不利である。またトナーを消費してしまうという課題もある。そこで本実施形態では、画像形成の開始指示を受信した場合など、短時間で結露を復帰する必要があるときは、上述したトナー塗布による結露復帰動作を実行する。画像形成の開始指示を受信したときは、画像形成モードに応じて、第１〜第３のいずれかの結露復帰モードが実行される。なお、画像形成の開始指示を受信していない期間中は、ファン２０５を回転駆動し、機外の空気を機内に取り込むことで、機内外の温度差をなくし、結露を解消させるようにしてもよい。ファン２０５の回転による結露復帰は、時間がかかるが、感光ドラム寿命、トナーを消費しない特徴がある。
【００２７】
さらに本実施形態では、ユーザがユーザモードボタン３３４を操作することで、ユーザが任意のタイミングで結露復帰モードを実行することが可能となっている。
【００２８】
図１０は、操作部３３０に表示されるマニュアル結露復帰モード画面である。ＣＰＵ６０４は、図１０の画面上で開始ボタン４０３を選択されたと判定すると、トナー塗布による結露復帰モードを実行する。本実施形態では、操作部３３０に表示された図１０の画面から結露復帰の指示が入力された場合は、第１の結露復帰モードを実行する。すなわち、全色の感光ドラム１０２に対してトナー塗布を行う。
【００２９】
＜フローチャート説明＞
図８は、トナー塗布による結露復帰動作を説明するフローチャートである。この制御は、ＣＰＵ６０４がＲＯＭ６０１に格納された制御プログラムを実行することにより実現される。まずＳ１０１で、ＣＰＵ６０４は、画像形成の開始指示を受信する。画像形成の開始指示を受信した場合はＳ１０２へ進む。Ｓ１０２で、ＣＰＵ６０４は、機外環境センサ２０３が取得した機外温湿度から算出される機外露点温度Ｔｄｅｗと、機内環境センサ２０４が取得した機内温度Ｔｉｎを比較する。機外露点温度Ｔｄｅｗより機内温度Ｔｉｎの方が低い場合には、Ｓ１０３の結露状態と判定し、トナー塗布量の初期値をドラム二周分に設定する。機外露点温度Ｔｄｅｗより機内温度Ｔｉｎの方が高い場合にはＳ１０４の非結露状態と判定する。
【００３０】
Ｓ１０５では、結露状態であればＳ１０６へ進み、非結露状態であればＳ１０９へ進む。なお、Ｓ１０３にて結露状態の判定がなされると、全ての感光ドラム１０２の結露復帰が判断されるまでＳ１０２〜Ｓ１０４の判定の結果に関係なく結露状態と判断する。
但し、結露状態であると判定してから長時間（例えば８時間）画像形成動作が実施されない場合は、結露状態が変化している可能性があるため、Ｓ１０２〜Ｓ１０４の判定処理の結果を選択するものとする。
【００３１】
Ｓ１０６では、ＣＰＵ６０４は、受信した画像形成の開始指示に基づき、画像形成モードを判定する。画像形成モードが、プロセスユニット１０１ｙ、１０１ｍ、１０１ｃ、１０１ｋを用いるカラー画像形成モードであれば、Ｓ１０９へ進む。画像形成モードが、プロセスユニット１０１ｋのみを用いるモノクロ画像形成モードであればＳ１０７へ進む。
【００３２】
Ｓ１０７では、画像形成を開始する前に、第２の結露復帰モードを実行し、Ｓ１０８で感光ドラム１０２ｋの結露が復帰したことを示す情報（結露復帰情報）を記憶する。Ｓ１０９では、既に第２の結露復帰モードを実行済みであるかを判定し、実行済であれば、感光ドラム１０２ｋの結露復帰は実施済みと判断し、Ｓ１１０へ進む。未実施であれば、Ｓ１１１へ進む。Ｓ１０９は、第２の結露復帰モードの実行後、感光ドラム１０２ｋのみ結露復帰し、感光ドラム１０２ｙ、１０２ｍ、１０２ｃが結露状態であるかどうかを判定するステップである。
【００３３】
Ｓ１１０では、第３の結露復帰モードを実行し、感光ドラム１０２ｙ、１０２ｍ、１０２ｃの結露復帰を行う。Ｓ１１１では、第１の結露復帰モードを実行し、全色に対応する感光ドラム１０２ｙ、１０２ｍ、１０２ｃ、１０２ｋの結露復帰を行う。Ｓ１１２では、感光ドラム１０２ｙ、１０２ｍ、１０２ｃ、１０２ｋの結露復帰情報を記憶して結露復帰制御を終了する。
【００３４】
Ｓ１１３では、ページ単位で画像形成カラーモードがモノクロモードからカラー画像形成モードへ変更されたかを判定し、変更がなければＳ１１７へ進み、変更がある場合にはＳ１１４へ進む。Ｓ１１４では、画像形成動作開始に伴うカラー用の感光ドラム１０２ｙ、１０２ｍ、１０２ｃの周辺温度が上昇することによる結露復帰がされたかを判定する。この判定処理については後ほど別のフローチャートにて説明する。
【００３５】
Ｓ１１５では、カラー用の感光ドラム１０２ｙ、１０２ｍ、１０２ｃが結露状態から復帰してないと判断した場合にはＳ１１６へ進み、復帰している場合にはＳ１１２へ進み結露復帰制御を終了する。
【００３６】
Ｓ１１６では、第３の結露復帰モードを実行し、Ｓ１１２へ、進み結露復帰制御を終了する。Ｓ１１７では、画像形成が終了したか否かを判定し、終了していなければＳ１１３へ進み、終了していたら、感光ドラム１０２ｙ、１０２ｍ、１０２ｃの結露復帰が未完の状態で結露復帰制御フローを終了する。
【００３７】
このように本実施形態では、結露が発生している状態で画像形成の開始指示を受信した場合に、Ｓ１０６で画像形成モードに応じて異なる結露復帰動作を実行している。具体的にはカラー画像形成モードで画像形成を開始する場合は第１の結露復帰モードを実行する。一方、モノクロ画像形成モードで画像形成を開始する場合は第２の結露復帰モードを実行する。また、画像形成を開始した後、画像形成モードをモノクロ画像形成モードからカラー画像形成モードに変更する場合は、第３の結露復帰モードを実行する。以上に説明した結露復帰制御により、ドラム寿命・トナー消費を抑え、画像形成開始時に最短で結露復帰させる２つを両立することが可能となる。
【００３８】
次に、感光ドラム１０２周辺の温度が上昇することによる結露復帰について説明する。画像形成装置１００は、各モータの駆動開始、定着装置１１７の温調が開始されることで、機内温度は上昇していく。そのため、機内温度が結露状態と判定した時の露点温度より高くなることで、緩やかに結露状態が解消していき、露点温度より高い状態が所定時間継続することで結露状態から復帰する。
【００３９】
図９は、感光ドラム周辺温度が上昇した場合の結露復帰動作を示すフローチャートである。この制御は、ＣＰＵ６０４がＲＯＭ６０１に格納された制御プログラムを実行することにより実現される。Ｓ２０１では、画像形成動作の開始判断を行う。画像形成動作の開始を指示されたらＳ２０２へ進む。Ｓ２０２では、結露発生状態の判断を行う。この結露発生状態の判断はＳ１０２の判断結果と同じである。結露発生状態である場合にはＳ２０３へ進み、結露発生状態で無ければ図９のフローチャートを終了する。
【００４０】
Ｓ２０３では、Ｓ１０２で算出した機外露点温度Ｔｄｅｗと、画像形成動作中の機内温度Ｔｉｎを比較して、機内温度Ｔｉｎが機外露点温度Ｔｄｅｗ以上であればＳ２０４へ進み、復帰時間Ｔ１をカウントアップする。機内温度Ｔｉｎが機外露点温度Ｔｄｅｗ未満であれば、復帰時間Ｔ１をカウントアップすることなくＳ２０５へ進む。
【００４１】
Ｓ２０５では、復帰時間Ｔ１が復帰判定時間Ｔ２以上であるかを判定し、復帰判定時間Ｔ２以上になっていたらＳ２０６へ進む。復帰判定時間Ｔ２に到達していなければＳ２０８へ進むＳ２０６では、感光ドラム１０２周辺の温度が一定時間、結露復帰する状態を継続したので結露復帰したと判断し、Ｓ２０７で復帰時間Ｔ１をクリアする。
【００４２】
Ｓ２０８では、復帰時間Ｔ１が復帰判定時間Ｔ２の半分の時間を経過したかを判定し、経過していたらＳ２０９にてＳ１０３で決定したトナー塗布量を初期値のドラム二周分の３０％削減した値に変更する。なお、３０％の補正値は画像形成装置１００の構成によって変化するものである。Ｓ２０９では、画像形成動作の終了を判定し、終了していたら本制御フローは終了し、終了していなければＳ２０３〜Ｓ２０９の制御ステップを継続して実行する。
【００４３】
このように本実施形態では、結露が発生している状態で画像形成の開始指示を受信した場合に、Ｓ１０６で画像形成モードに応じて異なる結露復帰動作を実行する。具体的には、カラー画像形成モードで画像形成を開始する場合、第１の結露復帰モードを実行する。一方、モノクロ画像形成モードで画像形成を開始する場合、第２の結露復帰モードを実行する。また、第２の結露復帰モードを実行した後、画像形成モードをモノクロ画像形成モードからカラー画像形成モードに変更する場合、第３の結露復帰モードを実行する。以上に説明した結露復帰制御により、必要な感光ドラム１０２のみをトナー塗布により早く結露復帰させ、画像形成に使用しない感光ドラム１０２についてはトナー塗布を行わない。
【００４４】
特に、モノクロ画像形成モードで画像形成を行う場合には、黒色に対応する感光ドラムに対してのみトナー塗布を行うので、トナーの消費を抑える事ができる。また、感光ドラムの回転による摩耗などを抑制して感光体の長寿命化に対しても有効である。
【００４５】
また本実施形態では、結露が発生している状態であっても、画像形成の開始指示を受信していない期間中は、トナー塗布を行わず、感光ドラム１０２周辺の温度が上昇することによる結露復帰を待つ。これにより、トナーの消費を抑制している。
【００４６】
また本実施形態では、ユーザモードボタン３３４を操作することで結露復帰モードを実行する場合は、第１の結露復帰モードを実行する。これにより、全色に対応する感光ドラムの結露を短時間で解消することができる。
【００４７】
また本実施形態では、結露発生状態であると判定した後、露点温度Ｔｄｅｗよりも機内温度Ｔｉｎが高い時間をカウントし、該時間に応じてトナー塗布量を調節している。これにより、トナー消費を更に抑制することができる。
【００４８】
以上に説明した結露復帰制御により、ドラム寿命・トナー消費を抑え、画像形成開始時に最短で結露復帰させることが可能となる。
【００４９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５０】
１００  画像形成装置
１０１ｙ〜１０１ｋ  プロセスユニット
１０２ｙ〜１０２ｋ  感光ドラム
１０３ｙ〜１０３ｋ  帯電ローラ
１０４ｙ〜１０４ｋ  レーザー露光装置
１０５ｙ〜１０５ｋ  現像器
１０６ｙ〜１０６ｋ  トナー容器
１０７ｙ〜１０７ｋ  一次転写ローラ
１０８  中間転写ベルト
１０９ｙ〜１０９ｋ  補助帯電ブラシ
１１０  二次転写ローラ
１１１  転写クリーニング装置
１１３  給紙カセット
１１５  レジストローラ
１１７  定着装置
１１８  定着ローラ
１１９  加圧ローラ
１２０  両面反転パス
１２２  駆動ローラ
２０１  レジ前搬送センサ
２０２  搬送センサ
２０３  機外環境センサ
２０４  機内環境センサ
２０５  ＦＡＮ
２１０  通信コントローラ
２１１  ホストコンピュータ
２１２  画像形成制御部
２１３  ＣＰＵ回路部
３３０  操作部
３３１  ヘルプキー
３３２  リセットキー
３３３  テンキー
３３４  ユーザモードボタン
３３５  スタートボタン
３３６  節電ボタン
３３７  電源スイッチ
３３９  電源ＬＥＤ
３４１  オペレーションパネル
６０１  ＲＯＭ
６０２  ＲＡＭ
６０４  ＣＰＵ
６０９〜６１２  モータ
６１３  離間モータ
６１４  定着モータ
【図１】
2019101303.tif 000003
【図２】
2019101303.tif 000004
【図３】
2019101303.tif 000005
【図４】
2019101303.tif 000006
【図５】
2019101303.tif 000007
【図６】
2019101303.tif 000008
【図７】
2019101303.tif 000009
【図８】
2019101303.tif 000010
【図９】
2019101303.tif 000011
【図１０】
2019101303.tif 000012